(57)【特許請求の範囲】
【請求項１】
強磁性要素を有する発泡体保護カバー（３）で覆われた接着エレメント（２）を発泡体射出成形用型（４）に固定し、前記発泡体保護カバー（３）が前記発泡体射出成形用型（４）の前記接着エレメント（２）に対応する部分を覆い、かつ、前記発泡体射出成形用型（４）と分離可能に接触させるようにする、接着シールコンポーネント（１）を備えた発泡体コンポーネントの製造方法であって、
前記接着エレメント（２）の先端と前記発泡体射出成形用型（４）に接する前記発泡体保護カバー（３）の側部にあたる側部カバー（５）とが同一平面上に位置するように前記接着エレメント（２）を配置し、前記発泡体射出成形用型（４）は前記強磁性要素を引付けるための磁場を発生させる保持エレメント（８）を有し、前記強磁性要素は前記接着シールコンポーネント（１）と一体になっているか、或いは、前記接着シールコンポーネント（１）の前面及び／又は後面に層（９）として形成されていることを特徴とする、製造方法。
【請求項２】
前記接着シールコンポーネント（１）のうち少なくとも前記側部カバー（５）が前記強磁性要素を有するとともに保持機構（６）の一部を構成し、該保持機構（６）の前記発泡体射出成形用型（４）側の構成である他の一部は、発泡工程中に前記側部カバー（５）を保持するための磁場を発生させる前記保持エレメント（８）であることを特徴とする、請求項１に記載の製造方法。
【請求項３】
前記接着シールコンポーネント（１）の側部のうち対向する２つの側部が前記側部カバー（５）を形成し、前記側部カバー（５）の部分には前記接着エレメント（２）が設けられておらず、前記側部カバー（５）によって前記接着エレメント（２）が設けられた表面領域が区画されていることを特徴とする、請求項１又は２に記載の製造方法。
【請求項４】
前記層（９）は、ゾル−ゲル法によって得られるか、又は、接着プライマによって形成されることを特徴とする、請求項１〜３のうちいずれか一の項に記載の製造方法。
【請求項５】
前記発泡体射出成形用型（４）の前記保持エレメント（８）は、永久磁石であって、磁気ストリップ、又は、前記発泡体射出成形型（４）若しくは前記発泡体射出成形型（４）の構成部品に挿入されたバーマグネットであることを特徴とする、請求項２〜４のうちいずれか一の項に記載の製造方法。
【請求項６】
前記接着シールコンポーネント（１）が、ポリアミド、又はポリオレフィン材料、或いは、少なくとも一部が織物部材により構成されている、請求項１〜５のうちいずれか一の項に記載の製造方法。
【請求項７】
請求項１〜６のうちいずれか一の項に記載の製造方法によって製造されたことを特徴とする発泡体コンポーネント。
【発明の詳細な説明】
【０００１】
本発明は、発泡体コンポーネントの製造方法に関し、特に自動車の座席用の発泡体詰め物コンポーネントであって、強磁性を有する発泡体保持カバーによってカバーされ、発泡体コンポーネントを製造する発泡体射出成形用型の中に導入される接着エレメントを含む少なくとも一つの接着シールエレメントを備え、前記カバーが接着シールコンポーネント自体により構成され、接着シールコンポーネントが、接着エレメントを有する領域を越えて突出する可変幅エッジカバーを備え、且つ発泡体射出成形用型と分離可能に接触する保持機構を備えて取付けられるコンポーネントの製造方法に関する。
【０００２】
発泡体で組入れられた接着シールエレメントを備えた発泡体詰め物コンポーネントは好ましくは、シートエレメント、背もたれ或いはシート枕、特には自動車の座席用のこのようなエレメントのための発泡体詰め物コンポーネントのために使用される。発泡体で組入れられた接着シールエレメントの接着エレメントは、一般にこのプロセスにおいて、適切な接着エレメントを備えた接着シールコンポーネントを提供されたカバー材料を当該発泡体詰め物コンポーネント上に締結するために使用される。
【０００３】
接着シールエレメントの機能効率を確保するために、発泡体保持カバーによって、発泡体注入プロセスの間、発泡材料の侵入から接着エレメントを保護し、接着エレメントの合着が防止されるようにすることが本質的に重要である。このことは、接着エレメントが露出されている接着シールエレメントの前面側が、封止剤の層により構成されるカバーエレメントによって完全にカバーされ、エレメントが、発泡体射出成形プロセスの後で接着エレメントを再び露出するために除去され得る、というような従来の方法を採用することによって達成され得る。
【０００４】
欧州特許第0612485号公報(EP 0 612 485 A1)に示された接着シールコンポーネントの場合には、融解されることができて除去の後に再利用され得る熱可塑性樹脂材料が使用される。
【０００５】
再利用可能な封止剤の使用にもかかわらず、この方法は、シールエレメントの付加、除去のための付加的な操作ステップ、及び再利用のために必要とされる処置のために非常にコストがかかる。従って、本発明は射出成形された接着エレメントを備えた発泡体コンポーネントの比較的簡単で費用に対して効果の高い製造を可能とする方法を開発するという課題に基づいている。
【０００６】
この課題は、カバーが接着シールエレメント自体で構成され、接着シールエレメントが、表面を越えて延びるように設けられたエッジカバーを備え、その幅が予め割当てられることができ、保持機構によって射出成形用型と分離可能に接触させられることを特徴とする上述されたような方法によって解決されるということが、本発明に関して請求される。
【０００７】
本発明に関して請求される方法においては、シーリングエレメントを有する結合側が任意のシーリング材料から解放され、発泡体カバーが接着シールコンポーネントによって固定され、その突出するエッジ領域がそれを発泡体射出成形用型の適切な部分とのシールされた接触状態に維持する、ということの結果として、シーリング材料が接着エレメントに付加されず、その後シーリング材料が除去される必要が無いので、シーリング材料の可能な再使用のための付加的な処置が不必要となり、方法の過程の所望の単純化が達成される。
【０００８】
上記接着エレメントは、好ましくは、発泡体射出成形用型と接触する接着シールコンポーネントのエッジカバーと一緒の一つの平面内に設けられ、或いは、他の実施形態では、接着エレメントは好ましくは、接着シールコンポーネントのエッジカバーの平面とは異なる平面内において、その異なる平面と接触して発泡体射出成形用型の凹所内に設けられる。
【０００９】
本発明に対して請求された方法の他の好ましい実施形態においては、少なくとも、接着シールコンポーネントのエッジカバーは強磁性コンポーネントを有し、保持機構の一部として使用され、保持機構の発泡体射出成形用型に属する他の部分は、発泡体射出成形プロセスにおいて発泡体バリアの形成の際、上記型上に設けられる磁場によって生み出される保持エレメントにより構成される。
【００１０】
この目的のために実施される方法は、強磁性コンポーネントが接着シールコンポーネントの一体的部分であるようなもの、あるいは、層として接着シールコンポーネントの前面及び／又は後面に付加されるようなものであり得る。含まれるコーティングはゾル−ゲル法によって得られても良く、又は、接着ベース材料の形態であっても良い。
【００１１】
永久磁石は、例えば、接着エレメントのための接触表面又は発泡体射出成形用型の壁の凹所を包囲する磁気ストリップ又はバーマグネットの列により構成されるもの等、発泡体射出成形用型へ属する保持機構として使用され得る。
【００１２】
本発明の他の主題は、発泡体コンポーネント内へ組入れ可能な接着シールコンポーネントであり、シールコンポーネントは請求項７で特定された特徴を有する。
さらに、有利な実施形態は、他の従属項に記載される。
【００１３】
以下、図面を参照して本発明を詳細に説明する。なお、以下に参照する図面に係る発明のうち、図２、３、及び５に係る発明は、参照例を示したものである。
【００１４】
図１から図５に示されたような当該接着シールコンポーネント１は、特に、（図示されていない）自動車の座席の詰め物がされた部分の製造において発泡体の組入れの目的に役立つ。ストリップタイプの接着シールコンポーネント１は、異なる二次元の形状寸法も有し得るが、従来の接着シールを構成するように、（図示されていない）もう一つの接着シールコンポーネントの対応する接着エレメントへ結合するための接着エレメント２を一側面上に有している。このようにして、クッション及びクッション詰め物材料は次いで、各接着シールによって発泡体式の自動車座席上で所定の位置に分離可能に固定され得る。
【００１５】
図１から図３に示された接着シールコンポーネント１は、例えば独国第１９６４６３１８．１号公報(DE 196 46 318.1)に記載されたもの等の従来の方法によって製造される。図１から図３によれば接着エレメント２は、キノコ状の茎の形態であり、その自由端はプレートの形態で外方へ広がっているように示される。しかしながら、接着エレメント２は又、図４及び図５に図示されたように、接着シールを構成するための、対応する接着シールコンポーネントのフック状接着エレメント（図示無し）の係合の目的にかなう従来通りに製造されたループからも構成され得る。
【００１６】
図１から図５が更に示すように、発泡体制限カバー３によってカバーされた接着エレメント２を備えた個々の接着シールコンポーネント１は、発泡体コンポーネント（図示無し）を製造する発泡体射出成形用型４内に受容され、その型は大体２分の１だけが型箱の一部として図面に示されている。カバー３は接着シールコンポーネント１それ自体から構成され、それは延伸し、可変幅エッジカバー５と共に、接着エレメント２を有する表面エリアを覆ってシール表面を構成するように取付けられ、且つ、６として全体が示される保持機構と共に、発泡体射出成形用型４と分離可能に接触させられる、ということが本発明に関して請求される。
【００１７】
図１及び図４からわかるように、接着エレメント２は、発泡体射出成形用型４と接触する接着シールコンポーネント１のエッジカバー５と一緒の一つの平面内に設けられることができ、接着エレメント２を備えた表面領域が、図１及び図４に対する見方で見られるように上方に曲るようにする。一方、図２、３及び５に示されたような参照例では、接着エレメント２は、接着シールコンポーネント１のエッジカバー５の平面とは異なる平面内において、発泡体射出成形用型４の凹所７内に設けられ、それと接触する。当該平面は、接着シールコンポーネント１の接着エレメント２を備えた接着シールコンポーネント１の前部の接触表面に合致する。
【００１８】
少なくとも接着シールコンポーネント１のエッジカバー５は、しかし好ましくは接着シールコンポーネントの全幅及び全長は、強磁性のコンポーネントを有し、保持機構６の一部として使用され、発泡体射出成形用型４へ属している保持機構６の他の部分は発泡体射出成形用型４上に取付けられる保持エレメント８の形態であって磁場を生成するようにし、それ上でエッジカバー５は発泡体注入プロセスの間、発泡体バリア又はシーリングリップを構成するように保持される。エッジカバー５は、少なくとも、接着シールコンポーネント１の二つの縦のエッジから構成され、この二つの縦のエッジは接着エレメント２を有しておらず、それらの間において、接着エレメント２を有する表面エリアを提供されている。しかしながら、好ましくは、エッジカバー５は全体として矩形の形状をしており、全方向に接着エレメント２を備えた表面エリアを含む。
【００１９】
請求される強磁性コンポーネントは、接着シールコンポーネントの一体的部分として、又は、コンポーネントの前面および／又は後面に付加される層として付加され得る。当該コーティングは好ましくはゾル−ゲル法によって、又は接着ベース材料から得られる。
【００２０】
接着シールコンポーネント１の製造に適切なゾル−ゲル法は、ＰＣＴ／ＥＰ９８／０３０５５号公報に記載されている。ゾル−ゲル法によって得られる層９は微小合成構造を有し、ＳｉＯ2及び／又は選択されたＳｉＯ2で改良されたＴｉＯ2に基づくゾル−ゲルを有する。当該層９が強磁性の特性を有するように、上記ゾル−ゲルは、フェライト、又はＦｅxＯyの構造を有するフェライトを含む材料と混合される。磁鉄鉱が又、強磁性のゾル−ゲルを得るために沈積され得る。層９は、パディング、浸漬被覆、吹付け、灌流、真空蒸着、ラミネーション、又はワイピング及びペースティングによって、接着シールコンポーネント１上に付加され得る。
【００２１】
しかしながら、当該層９は又、レゾルシンの接着ベース材料及び／又は少なくとも一つのそれの誘導体から構成され得る。詳細には、接着ベース材料の当該層は、強磁性体を含むポリウレタン層によって代表されることができ、上記ポリウレタンは、例えば、スタール(Stahl)社によって製造されるポリウレタンＳＵ９１８２によって代表される。適切は接着ベースは、ＰＣＴ／ＥＰ９８／０２８８６号公報に記載されている。
【００２２】
磁場を生成する発泡体射出成形用型４の保持エレメント８は、永久磁石により構成されており、例えば、発泡体射出成形用型４又はそれの複数部分（パイプ）内に導入される、磁気ストリップ１０又はバーマグネット（図示なし）により構成されるものである。使用される保持エレメント８の磁気力は、発泡体注入プロセスの間、共に堅固に接触し且つ発泡体射出成形用型４の内側で正しい位置に位置する目的のために使用される強磁性特性又は層を備える、接着シールコンポーネント１を保持する；関連するカバー３は、接着エレメント２の中への発泡材料の有害な侵入を確実に防ぐ関連するエッジカバー５の領域においてシーリング表面又は発泡体バリアを構成する。このことは、接着シールコンポーネント１の後面における任意のカバーリング、又は、接着エレメント２に対して直接使用される封止剤の形態のものを不要にする。図１及び図４からわかるように、エッジカバー５は磁気ストリップ１０の領域において終了し、あるいは、図２、３及び５によって示されるように、それらエッジの寸法のために、それらはこの領域を越えて延び、延長されたシーリング長さを構成する。特に、層９が、射出成形用型４の反対側に面して、関連する接着シールコンポーネント１の後面へ付加される場合には、請求される層９は、車両詰め物エレメントのポリウレタン発泡材料の中への接着シールコンポーネント１の確かな組入れが確実にされるように、発泡体射出成形プロセスを更に改善し得る。
【００２３】
接着シールコンポーネント１は、詳細にはポリアミド、又は、ポリオレフィン材料から構成される。独国特許公開公報第１９６４６３１８号(DE 196 46 318 A1)に記載の従来の製造方法の場合には、厚くされた領域を備えた茎の形態の、複数のワンピース接着エレメント２を備えた接着シールコンポーネント１の製造において、塑性状態又は液状態の熱可塑性材料が、プレスローラとセクションローラとの間の間隙へ送達され、上記セクションローラは、外方及び内方に開口するキャビティを設けられ、両方のローラは反対の方向に駆動される。セクションローラはスクリーンを有し、そのスクリーン内の開口はエッチング又はレーザーによって製造され、接着シールエレメントはもっぱら、熱可塑性材料がスクリーンの開口において硬化することの結果として生ずる。個々の当該茎の厚くされた領域は、平坦にされた、又は窪んだ凹所を有する、きのこの頭部の形態である。
【００２４】
図４及び図５に図示されるような接着エレメント２のようなループを製造するために、他の従来技術の方法が適用され得る。少なくとも、請求されたセクションローリングプロセスは非常に小さい個々の接着エレメント２を製造するために適用されることができ、これらの接着エレメント２のサイズはもっぱらナノメートルの範囲になり得る。請求されたプラスチック材料の代わりに、接着シールコンポーネント１は又、例えば、従来の編成技術を適用することによって、織物又は他のプラスチック材料から構成され得る。これらの材料は、強磁性コーティングを提供されなければならないが、シーリング発泡体バリアも得ることが出来る。発泡体射出成形プロセスが完了した後、発泡体部分、特に詰め物エレメントは、その中の発泡体で組入れられた接着シールコンポーネント１と共に、発泡体射出成形用型内に設置された保持エレメント８の保持力に打ち勝つことによって、発泡体射出成形用型４から直ちに除去され得る。それから、発泡体射出成形用型４は発泡体射出成形プロセスの繰返しに対し利用可能である。又、発泡体で組入れられた接着シールコンポーネント１の接着エレメント２は、少なくとも、周囲の方向において自由であり、それらの機能効率を損なう可能性のある発泡材料を含まない。
【００２５】
発泡材料からの接着シールコンポーネント１自体によるシールにおいては、例えば付加的なシーリングリップ等の、付加的材料や付加的シールエレメントは必要とされない。シールはむしろ、接着シーリングストリップと発泡体射出成形用型の対応接触表面との平面−平行接触によってもっぱら達成される。シール効果をもたらす接着シールコンポーネント１のエッジカバー５は、フォイル、又は少なくとも非常に薄いシート材料の形態であり得る。
【図面の簡単な説明】
【図１】  図１は、その型の中に入れられている接着シールコンポーネントを備えた発泡体射出成形用型の概略的な単純化された正面図を示している。
【図２】  図２は、その型の中に入れられている接着シールコンポーネントを備えた発泡体射出成形用型の概略的な単純化された正面図を示している。
【図３】  図３は、その型の中に入れられている接着シールコンポーネントを備えた発泡体射出成形用型の概略的な単純化された正面図を示している。
【図４】  図４は、その型の中に入れられている接着シールコンポーネントを備えた発泡体射出成形用型の概略的な単純化された正面図を示している。
【図５】  図５は、その型の中に入れられている接着シールコンポーネントを備えた発泡体射出成形用型の概略的な単純化された正面図を示している。
【図１】
0004439118.tif 000002
【図２】
0004439118.tif 000003
【図３】
0004439118.tif 000004
【図４】
0004439118.tif 000005
【図５】
0004439118.tif 000006